(57)【要約】【課題】輝度向上を図ることができる発光装置を提供する。【解決手段】導光板１０１は、光入射端面１０２、入光部１０３、光曲げ部１０４、及び、発光部１０５の各部位から成る。光源１０６は、赤色、緑色、青色の各色に対応した３つの発光素子を有する。光源１０６の各発光素子を出射した光は、光入射端面１０２から導光板１０１内部に取り込まれ、入光部１０３を経由して光曲げ部１０４でその進行方向を変えられ、最終的に、発光部１０５から光１０７として出射する。光入射端面１０２の幅は、発光部１０５の厚みよりも大きくなっており、光源１０６からの光を、効率よく導光板１０１の内部に取り込む。【選択図】図１
2008034155.tif 000002
【特許請求の範囲】
【請求項１】
光源からの光を導光板内部に取り込む入光部と、
前記入光部から取り込まれた光の進行方向を変化させる光曲げ部と、
前記光曲げ部を介して導入した光を出射し、面状に発光する発光部とを有し、
前記入光部の光入射端面における入光部の厚みが、前記発光部の厚みよりも厚いことを特徴とする導光板。
【請求項２】
前記光入射端面から前記発光部にかけて、厚みが所定の割合で減少する、請求項１に記載の導光板。
【請求項３】
前記光曲げ部は、所定の曲率で所定角度だけ曲げられている、請求項１又は２に記載の導光板。
【請求項４】
前記光入射端面の幅が、前記発光部の厚みの１．２倍以上２倍以下である、請求項１〜３の何れか一に記載の導光板。
【請求項５】
光源からの光を導光板内部に取り込む入光部と、前記入光部から取り込まれた光の進行方向を変化させる光曲げ部と、前記光曲げ部を介して導入した光を出射し、面状に発光する発光部とを有する導光板であって、前記入光部の光入射端面における厚みが、前記発光部の厚みよりも厚い導光板と、
赤色、緑色、及び、青色に対応した３つの発光点を有し、前記３つの発光点のうちの２つの発光点が、前記光入射端面の長手方向に並んで配置され、残りの１つの発光点が、前記光入射端面の長手方向に沿って並ぶ２つの発光点を結ぶ直線から所定距離だけ離れた位置に配置される光源とを備え、
前記発光部の厚みが、前記並んで配置される２つの発光点間を結ぶ直線と前記残りの１つの発光点との間の所定距離とがほぼ同じであることを特徴とする発光装置。
【請求項６】
前記残りの１つの発光点が、前記並んで配置される２つの発光点間を結ぶ直線の中央の位置から前記所定距離だけ離れて配置される、請求項５に記載の発光装置。
【請求項７】
前記光源が、赤色、緑色、及び、青色の３色に対応した発光素子を有する３色ＬＥＤである、請求項５又は６に記載の発光装置。
【請求項８】
前記光入射端面の幅が、前記発光部の厚みの１．２倍以上２倍以下である、請求項５〜７の何れか一に記載の発光装置。
【請求項９】
前記光入射端面と、前記光源との間に挿入され、前記光源の出射光を拡散して前記光入射端面側に出射する拡散板を更に有する、請求項５〜８の何れか一に記載の発光装置。
【請求項１０】
光源からの光を導光板内部に取り込む入光部と、前記入光部から取り込まれた光の進行方向を変化させるための光曲げ部と、前記光曲げ部を介して導入した光を出射し、面状に発光する発光部とを有する導光板と、
赤色、緑色、及び、青色の発光点を有し、該３つの発光点が直線上に並ばない光源と、
前記光入射端面と、前記光源との間に挿入され、前記光源の出射光を拡散して前記光入射端面側に出射する拡散板とを有することを特徴とする発光装置。
【請求項１１】
請求項５〜１０の何れか一に記載の発光装置を有することを特徴とする携帯端末装置。
【発明の詳細な説明】
【技術分野】
【０００１】
本発明は、導光板、及び、発光装置に関し、更に詳しくは、光源からの光を縁部から取り込み面状の発光部から出射する発光装置、そのような発光装置で使用される導光板、及び、そのような発光装置を用いた携帯端末装置に関する。
【背景技術】
【０００２】
携帯電話機やＰＨＳなどの小型の携帯端末装置が広く普及している。これら携帯端末装置には、電話や電子メールの着信時、或いは、音楽再生中などに点灯・点滅するイルミネーション用の発光装置が組み込まれることがある。発光装置は、例えば、ＬＥＤが出射する光を導光板内部に取り入れ、平板状の導光板の前面側から光を出射する導光板方式の発光装置として構成される。導光板に入射する光を発生するＬＥＤは、例えば、赤色、緑色、青色の３色に対応した３つの発光素子を有している。発光装置は、各発光素子の発光量を制御することで、さまざまな色で発光する。
【０００３】
通常、導光板方式の発光装置では、平板状の導光板の側面にＬＥＤを配置し、導光板の側面からＬＥＤが出射する光を取り入れる。しかしながら、この構成では、導光板よりも外側にＬＥＤを配置する必要があるため、装置の小型化が難しい。この問題に対して、導光板内部でＬＥＤからの光の方向を変化させ、導光板の発光部に光を導く技術がある。このような技術としては、特許文献１に記載した技術がある。特許文献１では、導光板の端部に曲面構造の反射面を設け、導光板の端部の下側に配置したＬＥＤからの光を反射面で反射させて、光の進行方向を、縦方向（上下方向）から横方向（左右方向）に変化させ、導光板の発光部に光を導く。
【０００４】
特許文献１に記載の構造では、発光部である導光板の直下にＬＥＤを配置する必要があるが、デザイン上、発光部を筐体の表面近くに配置する場合や、発光部の下に他の部品を置く場合があり、その場合には、導光板の直下にＬＥＤを配置することができない。このような場合、ＬＥＤの真上で、ＬＥＤから遠ざける方向に立ち上げ、その先で所定の曲率半径で所定の半径だけ曲げる光曲げ部を設ける構造の導光板を用い、ＬＥＤから発光部までの垂直距離を延ばして、目的のデザインを可能とする。光曲げ部を有する構造の発光装置は、例えば特許文献２に記載されている。
【０００５】
図７は、上記光曲げ部を有する従来の発光装置の構成を示しており、（ａ）は横から見た断面図を示し、（ｂ）は上から見た平面図を示している。導光板２０１は、光入射端面２０２、入光部２０３、光曲げ部２０４、及び、発光部２０５の各部位から成る。光入射端面２０２は、ＬＥＤ２０６に対向しており、ＬＥＤ２０６からの光を入光部２０３に取り入れる。入光部２０３は、光入射端面２０２と光曲げ部２０４との間に位置しており、光入射端面２０２から取り入れられた光を光曲げ部２０４に導く。
【０００６】
光曲げ部２０４は、円状に９０°曲げられており、光の進行方向を上下方向から横方向に変え、発光部２０５に光を導く。ＬＥＤ２０６からの光は、光入射端面２０２から導光板２０１内に取り込まれ、最終的に、発光部２０５から、光２０７として出射する。導光板２０１の厚みは部位によらず一定であり、例えば、発光部２０５の厚みが０．６ｍｍであれば、光入射端面２０２、入光部２０３、及び、光曲げ部２０４の厚みも０．６ｍｍである。
【０００７】
ＬＥＤ２０６には、赤色、緑色、青色に対応した３つの発光素子を備える上面発光型の３色ＬＥＤである。これら発光素子は、ＬＥＤパッケージ内で独立している。上面発光型の３色ＬＥＤは、垂直に発光してくる光の向きを変化させずに、発光してくる方向に向かって光を認識させる使い方が一般的であり、ＬＥＤ２０６内の３つの発光素子（発光点）は、通常、上面から見た際に最も混色性がよくなるように、三角形の各頂点に対応する位置に配置される。
【０００８】
図８（ａ）に、図７（ａ）に符号２０８で示す部分の拡大図を示し、図８（ｂ）に、図７（ｂ）に符号２０９で示す部分の拡大図を示す。図８（ｂ）に示すように、ＬＥＤ２０６は、緑色に対応した発光素子（Ｇ）２１０と、青色に対応した発光素子（Ｂ）２１１と、赤色に対応した発光素子（Ｒ）２１２とを有している。３つの発光素子のうちの２つの発光素子（図８では発光素子（Ｇ）２１０及び発光素子（Ｂ）２１１）は、光入射端面２０２の長手方向に沿って並んで配置される。残りの１つの発光素子（発光素子（Ｒ）２１２）は、発光素子（Ｇ）２１０と発光素子（Ｂ）２１１とを結ぶ直線の中間位置から、その直線に垂直な方向に所定の距離だけ離れた位置に配置される。
【０００９】
図８（ａ）に示すように、発光素子（Ｇ）２１０及び発光素子（Ｂ）２１１から出射した光２１３−１と、発光素子（Ｒ）２１２から出射した光２１３−２は、それぞれ、導光板２０１の光入射端面２０２に向かって円錐状に広がり、光入射端面２０２から導光板２０１内に入射する。入射した光は、それぞれ光線２１５−１及び２１５−２として、入光部２０３を経由し、光曲げ部２０４にて反射し、発光部２０５側へ向きを変えて屈折する。発光部２０５に到達した光は、最終的に、光２０７（図７）として、外部に取り出される。
【００１０】
【特許文献１】特開２００３−２７９９７１号公報
【特許文献２】特開２００１−１８３９９１号公報
【発明の開示】
【発明が解決しようとする課題】
【００１１】
ところで、発光装置２００では、図８（ａ）に示すように、発光素子（Ｇ）２１０及び発光素子（Ｂ）２１１からの光２１３−１は、ＬＥＤ２０６から出射後、空気中で円錐状に広がり、その一部である光２１４−１は、光入射端面２０２へ入射することなく失われる。同様に、発光素子（Ｒ）２１２からの光２１３−２についても、その一部である光２１４−２は、光入射端面２０２へ入射することなく失われる。従来の発光装置２００では、発光素子（Ｒ）２１２と、発光素子（Ｇ）２１０と発光素子（Ｂ）２１１とを結ぶ直線の中間位置との間の距離と、光入射端面２０２の幅、すなわち発光部２０５の厚みとは、ほぼ同じに設定されており、光２１４−１及び２１４−２として失われる光が多く、ＬＥＤ２０６からの光を、効率よく発光部２０５まで届けることができず、光の入射効率が悪い。このため、発光部２０５の輝度が十分に得られないという問題がある。
【００１２】
また、発光装置２００では、ＬＥＤ２０６内の２つの発光素子２１０、２１１と、残りの１つである発光素子２１２とで、光入射端面２０２に対する垂直位置が異なっている。これに起因して、発光素子２１０、２１１と、発光素子２１２とから発光した光の導光板２０１内における反射や屈折の仕方が異なることで、光の伝達に差が生じ、実装時に、ＬＥＤ２０６の位置と、光入射端面２０２との位置に位置ずれが生じると、発光素子２１０、２１１から光入射端面２０２に入射する光の量と、発光素子２１２から光入射端面２０２に入射する光の量とのバランスが崩れ、発光部２０５における発光色が変化するという問題が発生する。
【００１３】
図９は、発光装置２００でＬＥＤ２０６と光入射端面２０２とに位置ずれが生じた状態を示し、（ａ）は横から見た断面を、（ｂ）は上面を示している。図８に示す位置ずれが生じていない状態では、ＬＥＤ２０６から出射した光２１３−１及び２１３−２は、光入射端面２０２へ、同じ量だけ入射する。しかし、図９に示す状態では、発光素子（Ｇ）２１０及び発光素子（Ｂ）２１１の位置が光入射端面２０２に対して外側にずれ、これによって、光入射端面２０２へ入射できずに失われる光２１４−３が増加し、光入射端面２０２へ入射する光２１３−３は減少する。一方、発光素子（Ｒ）２１２については、位置が光入射端面２０２の中心側に近づくので、失われる光２１４−４は減少して、光入射端面２０２に入射する光２１３−４は増加する。この場合、赤色の光の量が増え、緑色及び青色の光の量が減少することで、発光部２０５から取り出される光２０７（図７）は、赤色が強くなる。
【００１４】
上記のように、従来の発光装置２００では、ＬＥＤ２０６と光入射端面２０２との位置関係がずれることで、発光部２０５の色が変化する。従って、従来の発光装置２００では、組み立てに際して、ＬＥＤ２０６の位置と光入射端面２０２の位置とに、高い位置決め精度が必要になる。
【００１５】
本発明は、上記従来技術の問題点を解消し、一般的な３色ＬＥＤを用いて、光曲げ部を有する導光板を、発光部の厚みを維持したまま効率よく発光させることができる発光装置、そのような発光装置に用いられる導光板、及び、そのような発光装置を用いた携帯端末装置を提供することを目的とする。
【００１６】
また、本発明は、ＬＥＤの位置と導光板の光入射端面の位置とに、高い位置決め精度が要求されない発光装置、そのような発光装置に用いられる導光板、及び、そのような発光装置を用いた携帯端末装置を提供することを目的とする。
【課題を解決するための手段】
【００１７】
上記目的を達成するために、本発明の導光板は、光源からの光を導光板内部に取り込む入光部と、前記入光部から取り込まれた光の進行方向を変化させる光曲げ部と、前記光曲げ部を介して導入した光を出射し、面状に発光する発光部とを有し、前記入光部の光入射端面における入光部の厚みが、前記発光部の厚みよりも厚いことを特徴とする。
【００１８】
本発明の導光板では、入光部の光入射端面の厚みが、発光部よりも厚くなっている。このようにすることで、光源からの光を、導光板の内部に効率よく取り込むことができ、発光部から出射する光の輝度を向上することができる。
【００１９】
本発明の導光板では、前記光入射端面から前記発光部にかけて、厚みが所定の割合で減少する構成を採用できる。
【００２０】
本発明の導光板では、前記光曲げ部が、所定の曲率で所定角度だけ曲げられている構成を採用できる。
【００２１】
本発明の導光板では、前記光入射端面の幅が、前記発光部の厚みの１．２倍以上２倍以下であることが好ましい。光入射端面の幅と、発光部の厚みとの差が少な過ぎるときには、輝度向上の効果が低くなることが考えられる。実験的には、光入射端面の幅が、発光部の厚みの１．２倍以上であれば、輝度向上の効果が得られることが確認された。また、実験的には、光入射端面の幅が発光部の２倍を超えると、輝度がかえって低下することが確認されたので、光入射端面の幅は、発光部の厚みの２倍以下とすることが好ましい。
【００２２】
本発明の発光装置は、光源からの光を導光板内部に取り込む入光部と、前記入光部から取り込まれた光の進行方向を変化させる光曲げ部と、前記光曲げ部を介して導入した光を出射し、面状に発光する発光部とを有する導光板であって、前記入光部の光入射端面における厚みが、前記発光部の厚みよりも厚い導光板と、赤色、緑色、及び、青色に対応した３つの発光点を有し、前記３つの発光点のうちの２つの発光点が、前記光入射端面の長手方向に並んで配置され、残りの１つの発光点が、前記光入射端面の長手方向に沿って並ぶ２つの発光点を結ぶ直線から所定距離だけ離れた位置に配置される光源とを備え、前記発光部の厚みが、前記並んで配置される２つの発光点間を結ぶ直線と前記残りの１つの発光点との間の所定距離とがほぼ同じであることを特徴とする。
【００２３】
本発明の発光装置では、３つの発光素子を有し、それら３つの発光素子が直線状に並ばない光源を用いる。この光源における、導光板の光入射端面の長手方向に平行に並ぶ２つの発光素子間を結ぶ直線と残りの発光素子との間の所定距離と、導光板の発光部の厚みとをほぼ同じにし、入光部の光入射端面の幅を、発光部の厚みよりも厚くする。このようにすることで、光源からの光を、光入射端面から効率よく導光板内部に取り込むことができ、発光装置の輝度を向上することができる。
【００２４】
本発明の発光装置では、前記残りの１つの発光点が、前記並んで配置される２つの発光点間を結ぶ直線の中央の位置から前記所定距離だけ離れて配置される構成を採用できる。
【００２５】
本発明の発光装置では、前記光源が、赤色、緑色、及び、青色の３色に対応した発光素子を有する３色ＬＥＤである構成を採用できる。
【００２６】
本発明の発光装置では、前記光入射端面の幅が、前記発光部の厚みの１．２倍以上２倍以下である構成を採用できる。
【００２７】
本発明の発光装置は、前記光入射端面と、前記光源との間に挿入され、前記光源の出射光を拡散して前記光入射端面側に出射する拡散板を更に有する構成を採用できる。この場合、拡散板で、光源の各発光点を出射した光が拡散されることにより、光入射端面に到達した光は、拡散板がない場合よりも、混色性が強くなる。このような混色された光を光入射端面から導光板内部に取り込むことで、光入射端面の位置と光源の位置とに位置ずれが生じた場合でも、発光部における発光色の変化は少なくなる。従って、発光装置の組み立てに際して、光入射端面の位置と光源の位置とに、高い位置決め精度が要求されない。
【００２８】
本発明の別の視点の発光装置は、光源からの光を導光板内部に取り込む入光部と、前記入光部から取り込まれた光の進行方向を変化させるための光曲げ部と、前記光曲げ部を介して導入した光を出射し、面状に発光する発光部とを有する導光板と、赤色、緑色、及び、青色の発光点を有し、該３つの発光点が直線上に並ばない光源と、前記光入射端面と、前記光源との間に挿入され、前記光源の出射光を拡散して前記光入射端面側に出射する拡散板と有することを特徴とする。
【００２９】
本発明の別の視点の発光装置では、光源の各発光点から出射した光は、拡散板を通過する際に混色されて、入光部の光入射端面から導光板内部に取り込まれる。光入射端面から、拡散板によって混色された光を導光板内部に取り込むことで、光入射端面の位置と光源の位置とに位置ずれが生じた場合でも、発光部における発光色の変化は少なくなる。従って、発光装置の組み立てに際して、光入射端面の位置と光源の位置とに、高い位置決め精度が要求されない。
【００３０】
本発明の携帯端末装置は、イルミネーションとして、上記本発明の発光装置を有することを特徴とする。
【発明の効果】
【００３１】
本発明の導光板、及び、発光装置では、入光部の光入射端面の幅が、発光部の厚みよりも厚いため、効率的に、光源からの光を導光板内部に取り込むことができ、発光部から出射する光の輝度を向上できる。また、光入射端面と光源との間に挿入された拡散板を用いる場合には、光入射端面から混色された光を導光板内部に取り込むことで、光入射端面の位置と光源の位置とに位置ずれが生じた場合でも、発光部における発光色の変化を少なくすることができ、発光装置の組み立てに際して、光入射端面の位置と光源の位置とに、高い位置決め精度が要求されない。
【発明を実施するための最良の形態】
【００３２】
以下、図面を参照し、本発明の実施の形態を詳細に説明する。図１は、本発明の第１実施形態の発光装置の構成を示しており、（ａ）は、発光装置を横から見た断面図であり、（ｂ）は、上面から見た平面図である。この発光装置１００は、導光板１０１と、光源（ＬＥＤ）１０６とを有する。発光装置１００は、例えば、携帯電話機などの携帯端末装置に組み込まれ、電話の着信などを伝えるためのイルミネーションとして使用される。導光板１０１は、光入射端面１０２、入光部１０３、光曲げ部１０４、及び、発光部１０５の各部位を有する。ＬＥＤ１０６は、３色ＬＥＤであり、緑色、青色、赤色の３色に対応した３つの発光素子を有する。
【００３３】
ＬＥＤ１０６が発光した光は、入光部１０３の光入射端面１０２から、導光板１０１の内部に取り込まれ、光曲げ部１０４を経由して、発光部１０５に導かれる。入光部１０３の光入射端面１０２における厚み（光入射端面１０２の幅）は、発光部１０５の厚みの１．６倍とする。例えば、発光部１０５の厚みが０．６ｍｍであれば、光入射端面１０２の幅は０．９６ｍｍとする。入光部１０３は、光入射端面１０２と光曲げ部１０４との間に位置し、光入射端面１０２から光曲げ部１０４にかけて、厚みを０．９６ｍｍから０．６ｍｍに変化させる。光曲げ部１０４は、円状に９０°曲げられている。
【００３４】
図２（ａ）は、図１（ａ）中の符号１０８で示す部分を拡大して示し、図２（ｂ）は、図１（ｂ）中の符号１０９で示す部分を拡大して示している。図２（ｂ）に示すように、ＬＥＤ１０６は、それぞれが緑色、青色、赤色に対応した３つの発光素子（Ｇ）１１０、発光素子（Ｂ）１１１、及び、発光素子（Ｒ）１１２を有する。これら３つの発光素子は、ＬＥＤパッケージ内で独立しており、各発光素子は、導光板１０１の光入射端面１０２側から見て、３角形の頂点に対応する位置に配置される。
【００３５】
図２では、３つの発光素子のうちの２つ（発光素子（Ｇ）１１０及び発光素子（Ｂ）１１１）は直線状に並んで配置され、残りの１つ（発光素子（Ｒ）１１２）は、直線状に並ぶ２つの発光素子間を結ぶ直線の中間位置から所定の距離だけ離れた位置に配置される。また、発光素子（Ｇ）１１０及び発光素子（Ｂ）１１１は、それらを結ぶ直線が、導光板１０１の光入射端面１０２の長手方向に対して平行となるように配置される。発光素子（Ｒ）１１２から、発光素子（Ｇ）１１０と発光素子（Ｂ）１１１の中間位置までの間の所定距離は、発光部１０５の厚みとほぼ同じであり、導光板１０１の光入射端面１０２の幅は発光部１０５の厚みの１．６倍であるので、光入射端面１０２の幅は、発光素子の所定距離の約１．６倍となる。
【００３６】
発光素子１１０〜１１２から出射した光は、それぞれ、導光板１０１の光入射端面１０２に向かって円錐状に広がる。発光素子（Ｇ）１１０と発光素子（Ｂ）１１１から出射した光１１３−１、及び、発光素子（Ｒ）１１２から出射した光１１３−２は、光入射端面１０２から、導光板１０１の中に入射する。導光板１０１内部に入射した光は、それぞれ光線１１５−１及び１１５−２として、光曲げ部１０４で発光部１０５（図１）側へ向きを変えて屈折する。発光部１０５に到達した光は、発光部１０５の発光面から、光１０７として出射する。発光装置１００の発光色である光１０７の色は、各発光素子の発光量を制御することで、制御される。
【００３７】
ＬＥＤ１０６から出射した光１１３−１、１１３−２は、空気中で円錐状に広がり、その一部である光１１４−１、１１４−２は、光入射端面１０２に入射することなく失われる。しかしながら、本実施形態では、光入射端面１０２が、発光素子（Ｒ）１１２から、発光素子（Ｇ）１１０と発光素子（Ｂ）１１１の中間位置までの間の距離の約１．６倍の幅を持つので、光入射端面１０２の幅を、発光部の厚み、すなわち発光素子（Ｒ）１１２から発光素子（Ｇ）１１０と発光素子（Ｂ）１１１の中間位置までの間の距離とほぼ同じにする従来技術に比して、光入射端面１０２に入射できない光の量は少なくなる。このように、本実施形態では、光入射端面１０２から、ＬＥＤ１０６からの出射光をより多く取り込むことができるので、より多くの光を発光部１０５に導くことができ、発光部１０５の輝度を向上できる。すなわち、ＬＥＤ１０６からの光を、効率よく発光部１０５まで伝達することができる。
【００３８】
ここで、ＬＥＤ１０６の位置と光入射端面１０２の位置とに位置ずれが発生した場合を考える。図３に、位置ずれが生じた際の状態を示す。位置ずれが生じると、図３（ｂ）に示すように、発光素子（Ｇ）１１０及び発光素子（Ｂ）１１１の位置は、位置ずれ前（図２（ｂ））の位置よりも光入射端面１０２の縁部側にずれ、発光素子（Ｒ）１１２の位置は、光入射端面１０２の中央側にずれる。この場合、発光素子（Ｇ）１１０及び発光素子（Ｂ）１１１が発光した光のうちで、光入射端面１０２に入射できない光１１４−３は増加するが、発光素子（Ｒ）１１２が発光した光のうちで、光入射端面１０２に入射できない光１１４−４は減少する。光入射端面１０２に入射する光の量の合計を考えると、発光素子（Ｇ）１１０及び発光素子（Ｂ）１１１から光入射端面１０２に入射する光１１３−３と、発光素子（Ｒ）１１２から光入射端面１０２に入射する光１１３−４の合計は、位置ずれがない状態における光入射端面１０２への入射量と同じである。従って、位置ずれが生じた場合でも、高い輝度を維持することができる。
【００３９】
図４は、本発明の第２実施形態の発光装置の構成を示し、（ａ）は横から見た断面を、（ｂ）は上から見た上面を示している。また、図５（ａ）は、図４（ａ）に示す符号１０８で囲んだ箇所を拡大して示し、図５（ｂ）は、図４（ｂ）に示す符号１０９で囲んだ箇所を拡大して示している。本実施形態の発光装置１００ａは、ＬＥＤ１０６と導光板１０１の光入射端面１０２との間に、光拡散性を有する拡散板１１６を有する点で、第１実施形態の発光装置１００と相違する。
【００４０】
図５（ａ）に示すように、拡散板１１６には、ＬＥＤ１０６内の発光素子（Ｇ）１１０及び発光素子（Ｂ）１１１から出射した光１１７−１と、発光素子（Ｒ）１１２から出射した光１１７−２とが入射する。拡散板１１６に入射した光１１７−１及び１１７−２は、拡散板１１６を通過する際によく混ざり合い、混色性を強めた光１１８として拡散板１１６から出射する。この光１１８は、光入射端面１０２から導光板１０１内に取り入れられ、最終的に、発光部１０５（図４）から光１０７として取り出される。
【００４１】
図６に、ＬＥＤ１０６の位置と光入射端面１０２の位置とに位置ずれが生じている状態を示す。図６では、発光素子（Ｇ）１１０及び発光素子（Ｂ）１１１は、位置ずれ前の状態（図５（ｂ））における位置よりも光入射端面１０２の縁部側にずれ、発光素子（Ｒ）１１２は、光入射端面１０２の中央側にずれている。しかしながら、光入射端面１０２には、拡散板１１６によって混色性が強められた光１１８が入射するので、光入射端面１０２に到達した光１１８の色は、位置ずれがない場合（図５）とほとんど変わりがない。このため、本実施形態では、ＬＥＤ１０６の位置と光入射端面１０２の位置とに位置ずれが生じても、光入射端面１０２から入射する光の色に変化が少なく、発光部１０５から取り出される光１０７の色の変化も少ない。従って、本実施形態では、第１実施形態で得られる効果に加えて、ＬＥＤ１０６及び導光板１０１を固定する際の位置決め精度を緩和できるという効果を得ることができる。
【００４２】
なお、本発明では、光入射端面１０２の幅を、発光部１０５の厚みよりも厚くした導光板１０１を用いることで、発光装置１００の輝度向上を図ることができるわけであるが、光入射端面１０２の幅と発光部１０５の厚みとの間の差が少なすぎると、輝度向上が期待できない。実験により、光入射端面１０２の幅を変化させて、導光板の輝度を測定したところ、光入射端面１０２の幅が、発光部１０５の厚みの１．２倍以上であれば、輝度向上の効果を得ることができることが確認された。よって、光入射端面１０２の幅の下限値は、発光部１０５の厚みの１．２倍とする。また、実験では、光入射端面１０２の幅が発光部１０５の厚みの２倍を超えると、かえって輝度が低下することが確認されたので、光入射端面１０２の幅の上限は、発光部１０５の厚みの２倍とする。
【００４３】
以上、本発明をその好適な実施形態に基づいて説明したが、本発明の導光板、発光装置、及び、携帯端末装置は、上記実施形態にのみ限定されるものではなく、上記実施形態の構成から種々の修正及び変更を施したものも、本発明の範囲に含まれる。
【図面の簡単な説明】
【００４４】
【図１】本発明の第１実施形態の発光装置を示しており、（ａ）は、発光装置を横から見た断面図、（ｂ）は、上面から見た平面図。
【図２】（ａ）は、図１（ａ）の一部を拡大して示す断面図、（ｂ）は、図１（ｂ）の一部を拡大して示す平面図。
【図３】光入射端面とＬＥＤとの間に位置ずれが生じた状態を示しており、（ａ）は、横から見た断面図、（ｂ）は、上面から見た平面図。
【図４】本発明の第２実施形態の発光装置を示しており、（ａ）は横から見た断面図、（ｂ）は上から見た平面図。
【図５】（ａ）は、図４（ａ）の一部を拡大して示す断面図、（ｂ）は、図４（ｂ）の一部を拡大して示す平面図。
【図６】光入射端面とＬＥＤとの間に位置ずれが生じた状態を示しており、（ａ）は、横から見た断面図、（ｂ）は、上面から見た平面図。
【図７】光曲げ部を有する従来の発光装置の構成を示しており、（ａ）は横から見た断面図、（ｂ）は上から見た平面図。
【図８】（ａ）は、図７（ａ）の一部を拡大して示す断面図、（ｂ）は、図７（ｂ）の一部を拡大して示す平面図。
【図９】光入射端面とＬＥＤとの間に位置ずれが生じた状態を示しており、（ａ）は、横から見た断面図、（ｂ）は、上面から見た平面図。
【符号の説明】
【００４５】
１００：発光装置
１０１：導光板
１０２：光入射端面
１０３：入光部
１０４：光曲げ部
１０５：発光部
１０６：ＬＥＤ（光源）
１１６：拡散板
【図１】
2008034155.tif 000003
【図２】
2008034155.tif 000004
【図３】
2008034155.tif 000005
【図４】
2008034155.tif 000006
【図５】
2008034155.tif 000007
【図６】
2008034155.tif 000008
【図７】
2008034155.tif 000009
【図８】
2008034155.tif 000010
【図９】
2008034155.tif 000011